(57)【要約】【課題】  折り畳み機能とスライド機能を兼備して使用状況に合わせて形状を選定でき操作性が良好な携帯電話機の開閉構造及びそれを用いた携帯電話機を提供することである。【解決手段】  少なくとも操作キーを配設可能な第１の筐体部２と、この第１の筐体部２に重ね合わせ可能で少なくとも表示部を配設可能な第２の筐体部３と、第１の筐体部２と第２の筐体部３に跨設される一対の接続部材４と、この一対の接続部材４を介して第２の筐体部３を回動自在に支持する一対の軸部５と、第１の筐体部２の両側部に設置される一対の溝部７と、この一対の溝部７をスライド可能で一対の接続部材４に設けられる一対のスライド部６とを有するものである。【選択図】  図１
2008160601.tif 000002
【特許請求の範囲】
【請求項１】
少なくとも操作キーを配設可能な第１の筐体部と、この第１の筐体部に重ね合わせ可能で少なくとも表示部を配設可能な第２の筐体部と、前記第１の筐体部と前記第２の筐体部に跨設される一対の接続部材と、この一対の接続部材を介して前記第２の筐体部を回動自在に支持する一対の軸部と、前記第１の筐体部の両側部に設置される一対の溝部と、この一対の溝部をスライド可能で前記一対の接続部材に設けられる一対のスライド部とを有することを特徴とする携帯電話機の開閉構造。
【請求項２】
請求項１に記載された携帯電話機の開閉構造を備えたことを特徴とする携帯電話機。
【発明の詳細な説明】
【技術分野】
【０００１】
本発明は、携帯電話機の開閉構造及びそれを用いた携帯電話機に関し、特に、折り畳み機能とスライド機能を併せ持つ携帯電話機の開閉構造及びそれを用いた携帯電話機に関する。
【背景技術】
【０００２】
一般に、携帯電話機の形状には、ヒンジ機構を備えて二つ折りする折り畳みタイプと重ね合わせた筐体をスライドさせるスライドタイプ、あるいは折り畳みもされずスライドもされない略直方体状のストレートタイプがある。折り畳みタイプは、コンパクトにでき、誤動作がなく傷もつきにくいものの、折畳んだ状態で操作ができないという欠点がある。また、スライドタイプは、コンパクトにできるものの、誤動作があったり傷がつきやすいという欠点がある。ストレートタイプは、コンパクトにはできず、また、誤動作があったり傷がつきやすいという欠点がある。
このような状況の中、折り畳みタイプの人気が高く、数多くのデザインのものが展開されており、現状では携帯電話機の主流になっている。
一方で、開かないと操作が困難である折り畳みタイプに対して、一部の操作キーと表示部が露出して表示部が損傷を受け易いもののスライドして開かなくてもある程度の操作が可能でスタイリッシュなスライドタイプが近年では市場に出回るようになってきた。
【０００３】
例えば、特許文献１には、「携帯機器のスライド機構及び携帯電話機」という名称で、安定した開閉動作を可能にした携帯機器のスライド機構とそのスライド機構を備えた携帯電話機に関する発明が開示されている。
この特許文献１に開示された発明は、互いに重ね合わせが可能な第１筐体及び第２筐体と、第１筐体及び第２筐体のいずれか一方に設置されるスライドケースと、このスライドケースにスライド可能に係合され、第１筐体及び第２筐体のいずれか他方に設置されるスライダーとを備えている。また、スライダーには、可撓可能なスライドプレートと、このスライドプレートの両端部にそれぞれ突設されスライドケースに接触して摺動する一対のロック部が設置され、スライドケースには、一のロック部と係合する閉成係合部と、他のロック部と係合する開成係合部が設置されている。さらに、一対のロック部を押圧する弾性手段がスライドプレートの両端部とスライダーに介設されている。
このスライド機構を携帯電話機に用いた場合では、携帯電話機の送話部と受話部を構成し重ね合わせられる第１筐体と第２筐体において、例えば、上側に位置して受話部となり上面にスピーカー、ディスプレイ及びカメラ等を具備する第２筐体の背面に長手方向に延びるように一対のスライドケースが設置され、下側に位置して送話部となり上面の一端部側にマイクやキーボードを具備する第１筐体の上面の他端部側に一対のスライダーが固設される。
そして、第１筐体に第２筐体が重なり合って第１筐体の上面が第２筐体によって覆われた閉成状態から、第２筐体をスライドさせると、スライド機構によりスライダーがスライドケースをスライド移動して第２筐体から第１筐体の上面が露出し開成状態となる。閉成状態では、スライダーに設置されるスライドプレートの一端部のロック部が、弾性手段に押圧されてスライドケースに設けられる閉成係合部と係合してロック状態となり、一方、開成状態では、スライドプレートの他端部のロック部が、同じく弾性手段に押圧されてスライドケースの開成係合部と係合してロック状態となり、それぞれ第１筐体と第２筐体の位置が固定される。
また、スライドプレートの両端部のロック部は弾性手段に常時押圧されており、スライド時にはスライドケースに接触しながら摺動するのでスライドケースとの間には摩擦力が作用し、この摩擦力によって任意の位置でスライドを停止しても第１筐体と第２筐体の位置を保持することができる。そして、スライダーは一対のロック部の二箇所においてスライドケースに接触するので斜めになり難くなっている。さらに、弾性手段は直接スライドケースに接触せず、ロック部を介しているので弾性手段の摩耗がなく、安定した開閉動作を可能にしている。
【０００４】
また、折り畳み式の携帯電話機については、例えば、特許文献２には、「折り畳み式携帯電話機」という名称で、蓋体ケースの開閉動作によって蓋体ケースの開閉状態を電気的に検知する折り畳み式携帯電話機に関する発明が開示されている。
この特許文献２に開示された発明は、操作キーを具備する本体ケースと、この本体ケースに覆設可能な蓋体ケースと、本体ケースと蓋体ケースを連結するヒンジ機構とを有し、本体ケース及び蓋体ケースには、ヒンジ機構の回転軸と同軸上に並設される第１の駒部及び第２の駒部と、これらの駒部に対向する第１の接片及び第２の接片が各々設置されている。
そして、本体ケースと蓋体ケースの開閉は、ヒンジ機構における回転軸が回動して行われるが、ヒンジ機構の回動時には、本体ケースの第１の駒部及び第１の接片と、蓋体ケースの第２の駒部及び第２の接片もヒンジ機構に連動して回動し、第１の接片と第２の接片が接触したり離間したりする。第１の接片と第２の接片は、本体ケースと蓋体ケースが開いた状態では離間し、一方、本体ケースと蓋体ケースが閉じた状態では接触するように配置され、これらの接片に接続される周知の開閉検知回路によって、本体ケースと蓋体ケースの開閉状態を電気的に検知することができる。このように本発明では、従来の折り畳み式携帯電話機に設置されている駒部を利用して接片を設けることによって、簡単な構成で安価及び安全な携帯電話機を提供するとともに携帯電話機の小型化を可能にしている。
【特許文献１】特開２００６−２４５６７５号公報
【特許文献２】特開２００１−３２０４６４号公報
【発明の開示】
【発明が解決しようとする課題】
【０００５】
しかしながら、特許文献１に記載された従来の技術では、スライド機構は、第１筐体の上面と第２筐体の背面に設置されるので、最も大きく開いても第１筐体の上面と第２筐体の背面の一部で係合が必要であり第１筐体は第２筐体の一部に覆われて完全に露出することができない。したがって、第１筐体の全面をスライド機構以外の携帯電話機の機能に利用することができないという課題があった。
【０００６】
また、特許文献２に記載された従来の技術では、折り畳み式携帯電話機の開閉の検知を簡単かつ確実に行うものであるが、この折り畳み式携帯電話機の構造はいわゆるヒンジ機構を備えるものであり、折り畳んで閉じた状態では内面に位置する操作キーや表示部が損傷しにくいという利点はあるものの操作ができないという課題があった。
【０００７】
本発明はかかる従来の事情に対処してなされたものであり、折り畳みタイプの欠点を解消しながら、ストレートタイプあるいはスライドタイプの欠点も解消すべく、折り畳み機能とスライド機能を兼備して使用状況に合わせて形状を選定でき操作性が良好な携帯電話機の開閉構造及びそれを用いた携帯電話機を提供することを目的とする。
【課題を解決するための手段】
【０００８】
上記目的を達成するため、請求項１記載の発明である携帯電話機の開閉構造は、少なくとも操作キーを配設可能な第１の筐体部と、この第１の筐体部に重ね合わせ可能で少なくとも表示部を配設可能な第２の筐体部と、第１の筐体部と第２の筐体部に跨設される一対の接続部材と、この一対の接続部材を介して第２の筐体部を回動自在に支持する一対の軸部と、第１の筐体部の両側部に設置される一対の溝部と、この一対の溝部をスライド可能で一対の接続部材に設けられる一対のスライド部とを有するものである。
上記構成の携帯電話機の開閉構造では、第１の筐体部と第２の筐体部とに分別されこれらが重ね合わされる携帯電話機の構造において、第１の筐体部と第２の筐体部は接続部材によって連結され、また、第２の筐体部は一対の軸部によって第１の筐体部に対して回動自在に支持されるという作用を有する。そして、一対のスライド部は一対の接続部材を介して第２の筐体部を支持しながら第１の筐体部に設けられる一対の溝部をスライド移動するという作用を有する。
【０００９】
また、請求項２に記載の発明である携帯電話機の開閉構造を用いた携帯電話機は、請求項１に記載された携帯電話機の開閉構造を備えるものである。
上記構成の携帯電話機の開閉構造を用いた携帯電話機では、請求項１に記載の携帯電話機の開閉構造が有する作用を備えて構成される。
【発明の効果】
【００１０】
本発明の請求項１記載の携帯電話機の開閉構造では、操作キー等を配設可能な第１の筐体部と表示部等を配設可能な第２の筐体部が一対の接続部材によって連結されるとともに、一対の接続部材に設けられる一対の軸部によって第２の筐体部が回動自在に支持されるので、携帯電話機を構成する第１の筐体部と第２の筐体部は折り畳み式の開閉を可能にする。また、一対の接続部材に設けられる一対のスライド部が第１の筐体部の両側部の一対の溝部をスライドするので、一対の接続部材に支持される第２の筐体部は第１の筐体部に対してスライド移動が可能となり、スライド式の開閉構造をも兼備した携帯電話機の開閉構造を可能にしている。
【００１１】
また、本発明の請求項２に記載の携帯電話機の開閉構造を用いた携帯電話機では、折り畳み式とスライド式の開閉構造を兼備しているので、使用状況に合わせて携帯電話機の形状を変更することができ、操作性が極めて良好なものとなる。例えば、不使用時は第１の筐体部と第２の筐体部を折り畳み式によって折り畳んで各種操作部品を収納すると、損傷や誤操作を防止することができる。また、使用時には、折り畳み式によって開いた第２の筐体部をさらにスライド式でスライド移動して表示部を露出させた状態で第１の筐体部に重ね合わせると、コンパクトな形態で操作することができる。
【発明を実施するための最良の形態】
【００１２】
以下に、本発明に係る携帯電話機の開閉構造及びそれを用いた携帯電話機の最良の実施の形態を図１乃至図６に基づき説明する。（請求項１及び請求項２に対応）
図１は、本発明の本実施の形態に係る携帯電話機の開閉構造を用いた携帯電話機の外形図である。
図１において、携帯電話機１は、主に、操作キー等が配設された第１の筐体２と、表示部等が配設された第２の筐体３から構成され、第１の筐体２の上部に第２の筐体３が重ね合わせ可能な構造を有している。そして、第１の筐体２の一端部と第２の筐体３の一端部には接続部材４が跨設されて第１の筐体２と第２の筐体３が連結されている。また、ピン５が接続部材４を介して第２の筐体３に嵌合されており、第２の筐体３はピン５を枢軸として回動自在になっている。さらに、接続部材４にはスライド部材６が設けられており、このスライド部材６は第１の筐体２の側部に沿って形成される溝７にスライド可能に嵌合されている。スライド部材６が溝７をスライド移動すると、接続部材４も連動するとともに接続部材４に連結される第２の筐体３も連動してスライド移動する。
すなわち、携帯電話機１は、第２の筐体３がピン５を枢軸として回動して開閉する折り畳み機能と、第２の筐体３が第１の筐体２の上面をスライド移動して開閉するスライド機能とを兼備している。なお、本実施の形態に係る携帯電話機の開閉構造とは、第１の筐体２、第２の筐体３、接続部材４、ピン５、スライド部材６及び溝７によって構成されるものである。また、後述するが、接続部材４、ピン５、スライド部材６及び溝７は第１の筐体２及び第２の筐体３の両側部に各々一対が設けられている。
【００１３】
次に、本実施の形態に係る携帯電話機の開閉構造の内部構造について図２を用いて説明する。
図２は、本実施の形態に係る携帯電話機の開閉構造を用いた携帯電話機の断面図である。
図２において、携帯電話機１の連結部分の断面では、重ね合わされた第１の筐体２及び第２の筐体３の両側部に一対の接続部材４，４が配置され、この一対の接続部材４，４を介して一対のピン５，５が第２の筐体３に嵌合されるとともに、一対のスライド部材６，６が第１の筐体２に形成される一対の溝７，７に嵌合されている。
一対のピン５，５は一対の接続部材４，４に設けられる一対の貫通孔８，８をそれぞれ貫通して第２の筐体３に設けられる一対の嵌合穴９，９にそれぞれ固着されている。また、一対のピン５，５の外径は一対の貫通孔８，８の内径よりもわずかに小さく形成されているので、一対のピン５，５は一対の貫通孔８，８を支点として回動可能となり、これらの端部において固着される第２の筐体３の開閉動作による回動を自在に支持することができる。なお、本実施の形態では一対のピン５，５は一対の接続部材４，４とは別部材としたが、一対の接続部材４，４と一体に構成してもよい。一対のピン５，５は、図２によれば、ボルト状に頭部と頭部よりも径の小さな胴部を備えるものとして示されるが、胴部の端部の径を胴部の径より大きくしてピン５，５の抜け落ちを防止するように構成されてもよい。また、ピン５，５の断面形状であるが、貫通孔８，８に接触する部分では、円形にして回動可能に形成することが望ましいが、嵌合穴９，９に接触する部分では、断面が円形であると第２の筐体３との間で空回りする可能性もあるため、三角形や四角形などの多角形や、楕円形など円形以外の形状で、第２の筐体３との間で空回りできないような形状とすることが望ましい。
さらに、一対のスライド部材６，６は、一対の接続部材４，４に設けられる一対の貫通孔１０，１０に固着されており、一対のスライド部材６，６が一対の溝７，７をスライド移動すると、一対のスライド部材６，６に固着された一対の接続部材４，４及び一対の接続部材４，４に連結された第２の筐体３も連動してスライド移動するようになっている。なお、一対のスライド部材６，６は別個に設置するのではなくて一対の接続部材４，４に一体に設けるようにしてもよい。
【００１４】
続いて、本実施の形態に係る携帯電話機の開閉構造の開閉操作及び使用方法について図３乃至図６を用いて説明する。
図３は、本実施の形態に係る携帯電話機の開閉構造を用いた携帯電話機を開いた状態を示す概念図である。
図３において、携帯電話機１は、第１の筐体２及び第２の筐体３の各操作面が露出した状態であり、第１の筐体２には、数字、かな及びアルファベット等が配列し電話番号を押したりメールを打ち込んだりするテンキー１１や、第１の十字キー１２、第１の決定キー１３、第１のソフトキー１４及び第２のソフトキー１５を備え各種操作を実行する第１の操作キー１６や、マイクを装備する第１の送話部１７が設置されている。一方、第２の筐体３には、画像や文字を表示する表示部１８や、第２の十字キー１９、第２の決定キー２０、クリアキー２１、第３のソフトキー２２及び第４のソフトキー２３を備え各種操作を実行する第２の操作キー２４や、スピーカーを装備する受話部２５や、第２の送話部２６や、カメラ機能を操作するシャッターボタン２７が設置されている。
なお、第１の操作キー１６や第２の操作キー２４を構成するそれぞれのキーは、その配列を自由とするもので、本実施の形態、図３乃至図５に記載されるような配列に限定するものではない。
携帯電話機１は、図１に示した閉じた状態から第２の筐体３の他端部を持ち上げると、第２の筐体３の一端部に設置されたピン５が枢軸となってピン５を中心に時計回りに回動して図３に示す開いた状態になる。逆に、閉じる場合には、同様に第２の筐体３の他端部を持ち上げると一端部のピン５を中心に反時計回りに回動して閉じることができる。
携帯電話機１を図示するように開いた状態では、従来の携帯電話機の使用方法と同様であるので詳細については説明しないが、使用者は、第２の筐体３の表示部１８を見ながら、第１の筐体２のテンキー１１で電話番号を押したり、メールの文字入力をしたりして、第１の操作キー１６で実行して通話やメールの送信を行う。また、第１の操作キー１６を操作してインターネットを閲覧することもできる。なお、電話の場合では、使用者は、第１の筐体２の第１の送話部１７を使用し、第１の送話部１７が口の位置になるように携帯電話機１を構える。
【００１５】
次に、図４は、本実施の形態に係る携帯電話機の開閉構造を用いた携帯電話機を開いてスライドさせた状態を示す概念図である。
図４において、携帯電話機１では、第２の筐体３が表示部１８や第２の操作キー２４等の操作面が露出した状態で第１の筐体２に重ね合わされている。このように第２の筐体３の操作面を露出して第１の筐体２に重ね合わせるには携帯電話機１に備わるスライド機構を以下の要領で使用する。
まず、図１に示した閉じた状態の携帯電話機１を、ピン５を枢軸として第２の筐体３を回動させて図３に示した開いた状態にする。次に、開いた状態において、第２の筐体３を第１の筐体２の方向に押す。そうすると、第２の筐体３に連結されたスライド部材６が溝７の一端部から他端部に向かってスライド移動し、このスライド部材６のスライド移動に連動して第２の筐体３は第１の筐体２の他端部側へスライド移動する。そして、スライド部材６が溝７の他端部に達するとスライド移動は終了し、図４に示すように第２の筐体３は操作面を上面にしたまま第１の筐体２に重ね合わせることができる。
携帯電話機１において第２の筐体３をスライドさせて第１の筐体２に重ね合わせると、図１に示した携帯電話機１を閉じた状態と同様にコンパクトな形態となる。しかも、携帯電話機１では、第２の筐体３に第２の操作キー２４や第２の送話部２６が設置されているので、第１の筐体２の操作面が隠れていても第２の筐体３の操作面のみである程度の操作や送受話ができるようになっている。そして、携帯電話機１におけるスライド機構は第１の筐体２及び第２の筐体３の側部に設けられるので、第１の筐体２及び第２の筐体３の操作面や背面をスライド機構設置のために使用することなく、第１の筐体２はほぼ全面を露出して携帯電話機１の操作キー等の設置のために使用できる。
なお、本実施の形態においては、第２の送話部２６を第２の筐体３に設けたが、例えば、第２の筐体３と第１の筐体２の間に若干の間隙を設け、音声が伝達できれば、第1の送話部１７を利用できるので、第２の送話部２６を省略してもよい。
【００１６】
ここで、第２の筐体の操作面について図５を用いて説明する。
図５は、本実施の形態に係る携帯電話機の開閉構造を用いた携帯電話機の第２の筐体の操作面を拡大して示す概念図である。
図５において、第２の筐体３の操作面には、表示部１８の下方に第２の操作キー２４が配置されており、第２の操作キー２４には、第２の十字キー１９、第２の決定キー２０、クリアキー２１、第３のソフトキー２２及び第４のソフトキー２３が設置されている。これらの操作キーは基本的には従来の携帯電話機における操作キー及び第１の筐体に設置される第１の操作キーと同様の使用方法であり、第２の十字キー１９は、詳細には図示されないが、上下左右の４分割されたキーがそれぞれの機能を発揮するものであり、カーソルの移動やページ送りなどに使用し、第２の決定キー２０は項目の決定に使用し、クリアキー２１は文字の消去や選択のキャンセルに使用する。また、第３のソフトキー２２及び第４のソフトキー２３にはアドレス帳、メーラー、インターネットブラウザ等へのショートカットを割り振ることができ、予めこのようなショートカットを割り振っておくと、第３のソフトキー２２及び第４のソフトキー２３だけで簡単に操作できる。
したがって、本実施の形態においては、従来のスライド式の携帯電話機のように第１の筐体の操作面を開かなくても、第２の筐体３の操作面のみでインターネットを閲覧したり、メールを読んだりすることができるので、上述のように、使用者は第２の筐体３をスライドさせたコンパクトな形態で携帯電話機に備わる機能を使用することができる。
【００１７】
最後に、図６は、本実施の形態に係る携帯電話機の開閉構造を用いた携帯電話機を開いてスライドさせた状態の背面を示す概念図である。
図６において、携帯電話機１は、第２の筐体３が操作面を上面にしてスライド移動して第１の筐体２に重ね合わされており、図示していないが、第２の筐体３では、表示部が露出している。そして、携帯電話機１にはカメラ機能が備わっており、第１の筐体２の背面にはカメラ２８が設置され、第２の筐体３の側部にはシャッターボタン２７が設置されている。したがって、使用者は第２の筐体３の表示部を手前に向けて携帯電話機１を把持すると、カメラ２３が映し出す映像を表示部で視認しながらシャッターボタン２４を押すことができるので、通常のカメラと同様のスタイルで失敗することなく写真撮影を行うことができる。
【００１８】
このように構成された本実施の形態では、折り畳み機能とスライド機能を兼備しているので、折り畳み機能によって第１の筐体と第２の筐体を開閉すると、開いた状態では通常の通話やインターネットやメールなどの携帯電話機が有する機能を使用でき、一方、閉じた状態では第１の筐体と第２の筐体の操作面が内面になるので、操作キー等による誤操作がない上に操作キーや表示部等の損傷を防止できるので、持ち歩いたりする場合の収納時に適している。そして、スライド機能を使用して、第２の筐体の操作面を上面にして第１の筐体に重ね合わせると、第２の筐体には第２の送話部や第２の操作キーが設置されているので、通話、インターネット及びメールの閲覧等の操作がコンパクトな形態で可能になっている。したがって、使用者が携帯電話機の使用時のスタイルを自由に選定でき、操作性が極めて良好なものとなる。
【産業上の利用可能性】
【００１９】
以上説明したように、本発明の請求項１及び請求項２に記載された発明は、折り畳み機能とスライド機能を兼備する携帯電話機の開閉構造とそれを用いた携帯電話機を提供可能であり、携帯電話機製造等において利用可能である。
【図面の簡単な説明】
【００２０】
【図１】本発明の本実施の形態に係る携帯電話機の開閉構造を用いた携帯電話機を閉じた状態を示す概念図である。
【図２】本実施の形態に係る携帯電話機の開閉構造を用いた携帯電話機の断面図である。
【図３】本実施の形態に係る携帯電話機の開閉構造を用いた携帯電話機を開いた状態を示す概念図である。
【図４】本実施の形態に係る携帯電話機の開閉構造を用いた携帯電話機を開いてスライドさせた状態を示す概念図である。
【図５】本実施の形態に係る携帯電話機の開閉構造を用いた携帯電話機の第２の筐体の操作面を拡大して示す概念図である。
【図６】本実施の形態に係る携帯電話機の開閉構造を用いた携帯電話機を開いてスライドさせた状態の背面を示す概念図である。
【符号の説明】
【００２１】
１…携帯電話機  ２…第１の筐体  ３…第２の筐体  ４…接続部材  ５…ピン  ６…スライド部材  ７…溝  ８…貫通孔  ９…嵌合穴  １０…貫通孔  １１…テンキー  １２…第１の十字キー  １３…第１の決定キー  １４…第１のソフトキー  １５…第２のソフトキー  １６…第１の操作キー  １７…第１の送話部  １８…表示部  １９…第２の十字キー  ２０…第２の決定キー  ２１…クリアキー  ２２…第３のソフトキー  ２３…第４のソフトキー  ２４…第２の操作キー  ２５…受話部  ２６…第２の送話部  ２７…シャッターボタン  ２８…カメラ
【図１】
2008160601.tif 000003
【図２】
2008160601.tif 000004
【図３】
2008160601.tif 000005
【図４】
2008160601.tif 000006
【図５】
2008160601.tif 000007
【図６】
2008160601.tif 000008